(57)【要約】【課題】  機器の未使用時に機器内の少なくとも１つ以上のユニットへの電力供給を停止する省エネモードに移行する機能を有した画像形成装置において、高価な不揮発性メモリを使用することなく、省エネモードからの復帰を高速に行えるようにすることを目的とする。【解決手段】  機器の未使用時に機器内の少なくとも１つ以上のユニットへの電力供給を停止する省エネモードに移行する機能を有した画像形成装置において、電源供給が停止した状態でも所定の時間だけ情報を保持可能なデータ保持手段を備え、上記データ保持手段の格納情報を用いて省エネモードからの復帰処理を行う。【選択図】  図５
2005340879.tif 000002
【特許請求の範囲】
【請求項１】
機器の未使用時に機器内の少なくとも１つ以上のユニットへの電力供給を停止する省エネモードに移行する機能を有した画像形成装置において、
電源供給が停止した状態でも所定の時間だけ情報を保持可能なデータ保持手段を備え、
上記データ保持手段の格納情報を用いて省エネモードからの復帰処理を行うことを特徴とする画像形成装置。
【請求項２】
復帰時に必要となる復帰用データを収集するデータ収集手段と、
省エネモードに移行する際に上記データ収集手段により収集された復帰用データを上記データ保持手段に対して書き込むデータ書き込み手段と、
省エネモードから復帰する際に上記データ保持手段から復帰用データを読み出すデータ読み出し手段と、
上記データ読み出し手段により読み出された復帰用データを用いて復帰処理を行う復帰手段とを備えたことを特徴とする請求項１に記載の画像形成装置。
【請求項３】
上記データ読み出し手段により読み出された復帰用データが正しいか否かを判断する判断手段を備え、
当該初期化データが正しくないと判断された場合に上記復帰手段はデフォルトデータを用いて復帰処理を行うことを特徴とする請求項２に記載の画像形成装置。
【請求項４】
上記データ保持手段は半揮発性メモリであることを特徴とする請求項１乃至３のいずれか一項に記載の画像形成装置。
【請求項５】
上記半揮発性メモリは、揮発性メモリと当該揮発性メモリの電源端子間に接続されたコンデンサから構成されることを特徴とする請求項４に記載の画像形成装置。
【請求項６】
上記データ保持手段に復帰用データのうち必要最小限のデータを格納することを特徴とする請求項１乃至５のいずれか一項に記載の画像形成装置。
【請求項７】
ユーザとのインタフェースを行う操作部の上記復帰用データは、復帰時に最初に表示される第１階層の画面データであることを特徴とする請求項６に記載の画像形成装置。
【請求項８】
上記データ保持手段は単一の段数の半揮発性メモリから構成されることを特徴とする請求項１乃至７のいずれか一項に記載の画像形成装置。
【請求項９】
上記データ保持手段は複数の段数の半揮発性メモリから構成されることを特徴とする請求項１乃至７のいずれか一項に記載の画像形成装置。
【請求項１０】
上記複数の段数の半揮発性メモリのデータ保持可能な時間を異ならせることを特徴とする請求項９に記載の画像形成装置。
【請求項１１】
上記データ保持可能な時間の最も長い半揮発性メモリに復帰時に最初に必要となるデータを格納することを特徴とする請求項１０に記載の画像形成装置。
【請求項１２】
ユーザとのインタフェースを行う操作部についての上記復帰時に最初に必要となるデータは、復帰時に最初に表示される第１階層の画面データであることを特徴とする請求項１１に記載の画像形成装置。
【請求項１３】
データ保持可能な時間を異ならせた上記複数の段数の半揮発性メモリにアプリケーション毎の復帰用データを格納することを特徴とする請求項１０に記載の画像形成装置。
【請求項１４】
ユーザとのインタフェースを行う操作部について、上記データ保持可能な時間の最も長い半揮発性メモリにコピーアプリの復帰用データを格納することを特徴とする請求項１３に記載の画像形成装置。
【請求項１５】
上記画像形成装置は、全体の制御を行うコントローラ部と、ユーザとのインタフェースとなる操作部と、用紙に印刷を行う作像エンジン部と、各部に電力を供給するとともに各部への電力供給を個別に制御可能な電源部とを備えたことを特徴とする請求項１乃至１４のいずれか一項に記載の画像形成装置。
【請求項１６】
上記コントローラ部、操作部および作像エンジン部は、それぞれ制御動作を行うＣＰＵとプログラムの作業領域となる揮発性メモリとを備えたことを特徴とする請求項１５に記載の画像形成装置。
【請求項１７】
機器の未使用時に機器内の少なくとも１つ以上のユニットへの電力供給を停止する省エネモードに移行する機能を有した画像形成装置の制御方法であって、
電源供給が停止した状態でも所定の時間だけ情報を保持可能なデータ保持手段を用いて省エネモードからの復帰処理を行う工程を備えたことを特徴とする画像形成装置の制御方法。
【請求項１８】
復帰時に必要となる復帰用データを収集するデータ収集工程と、
省エネモードに移行する際に上記データ収集工程で収集された復帰用データを上記データ保持手段に対して書き込むデータ書き込み工程と、
省エネモードから復帰する際に上記データ保持手段から復帰用データを読み出すデータ読み出し工程と、
上記データ読み出し工程により読み出された復帰用データを用いて復帰処理を行う復帰工程とを備えたことを特徴とする請求項１７に記載の画像形成装置の制御方法。
【請求項１９】
上記データ読み出し手段により読み出された復帰用データが正しいか否かを判断する判断工程を備え、
当該初期化データが正しくないと判断された場合に上記復帰工程はデフォルトデータを用いて復帰処理を行うことを特徴とする請求項１８に記載の画像形成装置の制御方法。
【発明の詳細な説明】
【技術分野】
【０００１】
本発明は省エネモードからの復帰を高速に行えるようにした画像形成装置に関する。
【背景技術】
【０００２】
コピー機に代表される画像形成装置は長時間にわたって電源が投入されているものであるため、消費電力の削減に対するニーズが高い。特に、昨今はネットワーク対応のプリンタやファクシミリとしての機能を有するものも多いため、夜間等を含め終日にわたって電源を落とすことがなく、消費電力削減のニーズはいっそう高い。
【０００３】
このようなことから、従来より、画像形成装置が未使用の状態になると、使用しないユニットへの電力供給を停止する省エネモード（パワーセイブモード）に自動的に移行するようにしている。そして、この省エネモードはユーザのコピー開始のためのキー操作やネットワークを介したプリントジョブの投入等によって解除され、印刷動作が行われる。
【０００４】
ところで、上記の省エネモードにおいて最も電力を抑える方法は、各ユニットに対して供給している電力を、ＣＰＵ、メモリ等の制御部分を含めて全て切ることである。
【０００５】
図１は従来の画像形成装置１１０の構成を示したものであり、全体的な制御を行うコントローラ部１２０と、ユーザとのインタフェースとなる操作部１３０と、用紙への印刷を行う作像エンジン部１４０と、各部に電力を供給する電源部１５０とを備えている。また、コントローラ部１２０、操作部１３０、作像エンジン部１４０にはそれぞれ制御を行うＣＰＵ１２１、１３１、１４１およびプログラムの作業領域となる揮発性メモリ１２２、１３２、１４２が設けられ、更にコントローラ部１２０には機器のステータス情報等を格納する不揮発性メモリ１２３が設けられている。
【０００６】
ここで、電源部１５０は、コントローラ部１２０から制御線を介しての制御により操作部１３０、作像エンジン部１４０への電力供給をＯＮ／ＯＦＦできるようになっており、図１は電力供給を行っている状態を示している。図２は省エネモードにおける電力供給状態を示したものであり、操作部１３０、作像エンジン部１４０への電力供給が停止された状態を示している。
【０００７】
図３は省エネモード移行時のコントローラ部１２０の処理を示すフローチャートであり、機器が所定時間未使用である場合等の省エネモードへの移行条件を満たすと（ステップＳ１１１）、操作部１３０に省エネモードへの移行が可能であるか否かを問い合わせ（ステップＳ１１２）、トラブルの発生や処理待ちのコマンド等が存在しない場合には、続いて作像エンジン部１４０に省エネモードへの移行が可能であるか否かを問い合わせる（ステップＳ１１３）。そして、作像エンジン部１４０にトラブルの発生や処理途中のジョブ等がなければ、省エネモードへの移行処理として電源部１５０の制御を行い、操作部１３０、作像エンジン部１４０への電力供給を停止し（ステップＳ１１４）、省エネモードへの移行を完了する（ステップＳ１１５）。また、操作部１３０もしくは作像エンジン部１４０において省エネモードへの移行ができない場合（ステップＳ１１２、Ｓ１１３のＮＧ）には通常の稼動状態を維持する（ステップＳ１１６）。
【０００８】
図４は省エネモードからの復帰時のコントローラ部１２０の処理を示すフローチャートであり、ユーザのコピー開始のためのキー操作やネットワークを介したプリントジョブの投入等によって省エネモードからの復帰を行う場合（ステップＳ１２１）、電源部１５０の制御を行って操作部１３０、作像エンジン部１４０への電力供給を開始し（ステップＳ１２２）、操作部１３０への表示画面データの送信等の初期化処理を行い（ステップＳ１２３）、続いて作像エンジン部１４０へのレジスト調整値データ（印刷濃度調整等のデータ）の送信等の初期化処理を行い（ステップＳ１２４）、通常の稼動状態に移行する（ステップＳ１２５）。
【０００９】
このように、従来の画像形成装置１１０にあっては、コントローラ部１２０を除く各ユニットに対して供給している電力をＣＰＵ、メモリ等の制御部分を含めて全て切る場合、省エネモードから復帰する際に、機器の主電源投入時と同じく様々なプログラムが初期化処理を行う必要がある。
【特許文献１】特開２００１−２１６７７５号公報
【特許文献２】特開２００２−３３０２４１号公報
【発明の開示】
【発明が解決しようとする課題】
【００１０】
上述したように、従来の画像形成装置にあっては、省エネモードから復帰する際に、例えば、操作部へ描画データを送る等、各種周辺機器との通信等が行われるため、機器内のプログラムが初期化を終了するまでに時間がかかってしまい、結果として省エネモードから復帰してユーザが使用可能になるまでの時間が増大してしまい、ユーザの利便性が損なわれてしまうという問題があった。
【００１１】
また、省エネ効果を高めるためには短時間の未使用であっても即座に省エネモードに移行させることが望まれるが、上記のように復帰の時間がかかることから、ユーザの利便性を損なわないために頻繁に省エネモードに移行させることが困難であった。
【００１２】
これを解決する手法として、電源供給がなくてもデータを保持しておくことのできる不揮発性メモリを各ユニット内に搭載しておくことが考えられるが、一般に不揮発性メモリはビット単価（記憶容量当たりの価格）が高く、操作部の初期画面データ等を保持しておく用途としてはコスト的に非常に難しいものであった。
【００１３】
一方、特許文献１にはＭＤ等の記録媒体の記録再生装置におけるＲＡＭ内蔵マイコンにおけるデータをコンデンサの蓄積電荷によりバックアップする技術が開示されているが、意図せぬ電源断等に対処するものであり、画像形成装置における省エネモードからの復帰時の初期化処理を考慮したものではない。
【００１４】
また、特許文献２にはファクシミリ装置における画情報メモリのバックアップ回路が開示されているが、意図せぬ停電等に対処するものであり、上記の特許文献１と同様に画像形成装置における省エネモードからの復帰時の初期化処理を考慮したものではない。
【００１５】
本発明は上記の従来の問題点に鑑み提案されたものであり、その目的とするところは、高価な不揮発性メモリを使用することなく、省エネモードからの復帰を高速に行えるようにした画像形成装置を提供することにある。
【課題を解決するための手段】
【００１６】
上記の課題を解決するため、本発明にあっては、請求項１に記載されるように、機器の未使用時に機器内の少なくとも１つ以上のユニットへの電力供給を停止する省エネモードに移行する機能を有した画像形成装置において、電源供給が停止した状態でも所定の時間だけ情報を保持可能なデータ保持手段を備え、上記データ保持手段の格納情報を用いて省エネモードからの復帰処理を行うようにしている。
【００１７】
また、請求項２に記載されるように、復帰時に必要となる復帰用データを収集するデータ収集手段と、省エネモードに移行する際に上記データ収集手段により収集された復帰用データを上記データ保持手段に対して書き込むデータ書き込み手段と、省エネモードから復帰する際に上記データ保持手段から復帰用データを読み出すデータ読み出し手段と、上記データ読み出し手段により読み出された復帰用データを用いて復帰処理を行う復帰手段とを備えるようにすることができる。
【００１８】
また、請求項３に記載されるように、上記データ読み出し手段により読み出された復帰用データが正しいか否かを判断する判断手段を備え、当該初期化データが正しくないと判断された場合に上記復帰手段はデフォルトデータを用いて復帰処理を行うようにすることができる。
【００１９】
また、請求項４に記載されるように、上記データ保持手段は半揮発性メモリであるものとすることができる。
【００２０】
また、請求項５に記載されるように、上記半揮発性メモリは、揮発性メモリと当該揮発性メモリの電源端子間に接続されたコンデンサから構成することができる。
【００２１】
また、請求項６に記載されるように、上記データ保持手段に復帰用データのうち必要最小限のデータを格納するようにすることができる。
【００２２】
また、請求項７に記載されるように、ユーザとのインタフェースを行う操作部の上記復帰用データは、復帰時に最初に表示される第１階層の画面データであるものとすることができる。
【００２３】
また、請求項８に記載されるように、上記データ保持手段は単一の段数の半揮発性メモリから構成することができる。
【００２４】
また、請求項９に記載されるように、上記データ保持手段は複数の段数の半揮発性メモリから構成することができる。
【００２５】
また、請求項１０に記載されるように、上記複数の段数の半揮発性メモリのデータ保持可能な時間を異ならせることができる。
【００２６】
また、請求項１１に記載されるように、上記データ保持可能な時間の最も長い半揮発性メモリに復帰時に最初に必要となるデータを格納するようにすることができる。
【００２７】
また、請求項１２に記載されるように、ユーザとのインタフェースを行う操作部についての上記復帰時に最初に必要となるデータは、復帰時に最初に表示される第１階層の画面データであるものとすることができる。
【００２８】
また、請求項１３に記載されるように、データ保持可能な時間を異ならせた上記複数の段数の半揮発性メモリにアプリケーション毎の復帰用データを格納するようにすることができる。
【００２９】
また、請求項１４に記載されるように、ユーザとのインタフェースを行う操作部について、上記データ保持可能な時間の最も長い半揮発性メモリにコピーアプリの復帰用データを格納するようにすることができる。
【００３０】
また、請求項１５に記載されるように、上記画像形成装置は、全体の制御を行うコントローラ部と、ユーザとのインタフェースとなる操作部と、用紙に印刷を行う作像エンジン部と、各部に電力を供給するとともに各部への電力供給を個別に制御可能な電源部とを備えるようにすることができる。
【００３１】
また、請求項１６に記載されるように、上記コントローラ部、操作部および作像エンジン部は、それぞれ制御動作を行うＣＰＵとプログラムの作業領域となる揮発性メモリとを備えるようにすることができる。
【００３２】
また、請求項１７に記載されるように、機器の未使用時に機器内の少なくとも１つ以上のユニットへの電力供給を停止する省エネモードに移行する機能を有した画像形成装置の制御方法であって、電源供給が停止した状態でも所定の時間だけ情報を保持可能なデータ保持手段を用いて省エネモードからの復帰処理を行う工程を備える制御方法として構成することができる。
【００３３】
また、請求項１８に記載されるように、復帰時に必要となる復帰用データを収集するデータ収集工程と、省エネモードに移行する際に上記データ収集工程で収集された復帰用データを上記データ保持手段に対して書き込むデータ書き込み工程と、省エネモードから復帰する際に上記データ保持手段から復帰用データを読み出すデータ読み出し工程と、上記データ読み出し工程により読み出された復帰用データを用いて復帰処理を行う復帰工程とを備えるようにすることができる。
【００３４】
また、請求項１９に記載されるように、上記データ読み出し手段により読み出された復帰用データが正しいか否かを判断する判断工程を備え、当該初期化データが正しくないと判断された場合に上記復帰工程はデフォルトデータを用いて復帰処理を行うようにすることができる。
【発明の効果】
【００３５】
本発明にあっては、電源供給が停止した状態でも所定の時間だけ情報を保持可能なデータ保持手段の格納情報を用いて省エネモードからの復帰処理を行うので、高価な不揮発性メモリを使用することなく、省エネモードからの復帰を高速に行うことができる。
【発明を実施するための最良の形態】
【００３６】
以下、本発明の好適な実施形態につき図面を参照して説明する。
【００３７】
図５は本発明の一実施形態にかかる画像形成装置の構成図である。図５において、画像形成装置１は、多機能複写機としての全体の動作を司り、他のユニットの制御および外部デバイスとのインタフェース制御を行うコントローラ部２と、表示画面およびタッチパネル、ハードキー等を有し、ユーザとのインタフェースとなる操作部３と、用紙にトナーを定着させて印刷を行うとともに紙搬送機構等を有する作像エンジン部４と、各部に電力を供給するとともに各部への電力供給を個別に制御可能な電源部５とを備えている。また、コントローラ部２、操作部３、作像エンジン部４にはそれぞれ制御を行うＣＰＵ２１、３１、４１およびプログラムの作業領域となる揮発性メモリ２２、３２、４２が設けられ、更にコントローラ部２には機器のステータス情報等を格納する不揮発性メモリ２３が設けられている。
【００３８】
また、本発明の特徴的な部分の一つとして、操作部３および作像エンジン部４に、電力供給が停止されても所定の時間にわたってデータを保持可能な半揮発性メモリ３３、４３が設けられている。なお、半揮発性メモリ３３、４３がデータを保持可能な時間としては数十分程度を想定しているが、これに限られるものではなく、機器の動作態様に応じた任意の時間に設定することが可能である。
【００３９】
ここで、電源部５はコントローラ部２から制御線を介しての制御により操作部３、作像エンジン部４への電力供給をＯＮ／ＯＦＦできるようになっており、図５は電力供給を行っている状態を示している。図６は省エネモードにおける電力供給状態を示したものであり、操作部３、作像エンジン部４への電力供給が停止された状態を示している。操作部３および作像エンジン部４の半揮発性メモリ３３、４３は省エネモードによって電源部５からの電力供給が停止された後においても所定の時間は動作を続け、データを保持している。
【００４０】
図７は図５の操作部３、作像エンジン部４における半揮発性メモリ３３、４３の構成例を示す図であり、データバスにデータ端子が接続され、電源ラインＬ１、Ｌ２に電源端子が接続された安価な揮発性メモリＭ１、Ｍ２と、電源ラインＬ１、Ｌ２間に接続されたコンデンサＣ１、Ｃ２とから構成されている。ここでは、操作部３の半揮発性メモリ３３もしくは作像エンジン部４の半揮発性メモリ４３を２段の半揮発性メモリとして構成した場合を示しており、コンデンサＣ１、Ｃ２の容量を変えることによってデータを保持しておける時間を異ならせることができ、格納するデータの種類を変えるようにすることができる。なお、半揮発性メモリを１段で構成しても、更に３段以上の多段で構成するようにしてもよい。また、半揮発性メモリの構成方法は図７に示した揮発性メモリとコンデンサの組み合わせによるものに限られない。
【００４１】
以下、上記の実施形態の動作について説明する。
【００４２】
図８は省エネモード移行時のコントローラ部２の処理を示すフローチャートである。図８において、機器が所定時間未使用である場合等の省エネモードへの移行条件を満たすと（ステップＳ１１）、操作部３に省エネモードへの移行が可能であるか否かを問い合わせ（ステップＳ１２）、トラブルの発生や処理待ちのコマンド等が存在しない場合には、続いて作像エンジン部４に省エネモードへの移行が可能であるか否かを問い合わせる（ステップＳ１３）。
【００４３】
そして、作像エンジン部４にトラブルの発生や処理途中のジョブ等がなければ、省エネモードへの移行処理として、先ず操作部３および作像エンジン部４へ復帰時の初期化に必要となるデータを送信する。これを受け、操作部３および作像エンジン部４ではコントローラ部２から受信した復帰用データを半揮発性メモリ３３、４３に格納する。なお、操作部３および作像エンジン部４は、自ユニット内の揮発性メモリ３２、４２に格納されているデータから復帰用データを収集するようにしてもよい。
【００４４】
そして、コントローラ部２は電源部５の制御を行い、操作部３、作像エンジン部４への電力供給を停止し（ステップＳ１４）、省エネモードへの移行を完了する（ステップＳ１５）。また、操作部３もしくは作像エンジン部４において省エネモードへの移行ができない場合（ステップＳ１２、Ｓ１３のＮＧ）には通常の稼動状態を維持する（ステップＳ１６）。
【００４５】
図９は操作部３の表示画面データと復帰用データの格納の例を示す図である。図９において、操作部３はユーザに対してタッチパネル等による操作内容を表示するための画面データをアプリケーション毎に複数の階層に分けて揮発性メモリ３２内に保持している。すなわち、コピーアプリ用画面データとして第１階層用データ〜第４階層用データを有し、プリンタアプリ用画面データとして第１階層用データおよび第２階層用データを保持している。図１０はコピーアプリ用の第１階層の操作部画面３４の例を示す図であり、図１１は図１０において「両面／集約／分割」のボタン３５を押した場合に表示される第２階層の操作部画面３４の例を示す図である。
【００４６】
図９において、通常の稼動状態において、操作部３はコントローラ部２との通信により必要となる画面データを全て保持しているが、省エネモードに移行する際には後の復帰時の初期化に必要となる画面データとして、例えば最初に表示すべきコピーアプリ用画面データの第１階層用データのみを半揮発性メモリ３３に格納する。もちろん、半揮発性メモリ３３の容量に余裕がある場合には、第２階層用データ以下についても併せて格納してもよい。
【００４７】
また、図７に示したように半揮発性メモリ３３をデータ保持時間の異なる複数段に構成した場合には、データ保持時間の長い方に復帰時に最初に必要となる第１階層用データを格納し、データ保持時間の短い方に第２階層用データ以下を格納することで、省エネモードに移行してから任意の時点で復帰する際に、第１階層用データが有効となる確率を高め、待ち時間の短縮によるユーザの利便性を高めるようにすることができる。更に、ユーザが機器の前に立って操作することの多いコピーアプリについての画面データを複数段の半揮発性メモリ３３のうちデータ保持時間の長い方に格納し、ネットワーク経由で使用されることの多いプリンタアプリについての画面データを複数段の半揮発性メモリ３３のうちデータ保持時間の短い方に格納するようにしてもよい。
【００４８】
なお、図９では操作部３のデータの例を示したが、作像エンジン部４においても、同様に復帰用のデータが半揮発性メモリ４３に格納される。
【００４９】
図１２は省エネモードからの復帰時のコントローラ部２の処理を示すフローチャートである。図１２において、ユーザのコピー開始のためのキー操作やネットワークを介したプリントジョブの投入等によって省エネモードからの復帰を行う場合（ステップＳ２１）、先ず電源部５の制御を行って操作部３、作像エンジン部４への電力供給を開始する（ステップＳ２２）。
【００５０】
次いで、操作部３へ復帰データが有効であるか否かの問い合わせを行う（ステップＳ２３）。これを受け、操作部３では半揮発性メモリ３３のデータを揮発性メモリ３２に読み出して検証を行い、データ保持時間内の復帰であって有効な復帰用データとして用いることができる場合にはそのまま次の処理に移行し、無効なデータである場合には通常の初期化処理としてコントローラ部２から画面データ等のデフォルトデータの取得を行う（ステップＳ２４）。
【００５１】
次いで、コントローラ部２は作像エンジン部４へ復帰データが有効であるか否かの問い合わせを行う（ステップＳ２５）。これを受け、作像エンジン部４では半揮発性メモリ４３のデータを揮発性メモリ４２に読み出して検証を行い、データ保持時間内の復帰であって有効な復帰用データとして用いることができる場合にはそのまま次の処理に移行し、無効なデータである場合には通常の初期化処理としてコントローラ部２からレジスト調整値データ等のデフォルトデータの取得を行う（ステップＳ２６）。
【００５２】
そして、コントローラ部２は通常の稼動状態に移行する（ステップＳ２７）。なお、操作部３、作像エンジン部４において半揮発性メモリ３３、半揮発性メモリ４３の格納データによって高速に復帰を行った場合、他の不足しているデータについてはコントローラ部２との通信を行い、既に半揮発性メモリ３３、半揮発性メモリ４３から取得したデータと矛盾がない形でデータの補完を行う。
【００５３】
このように、省エネモードに移行してから短時間内の復帰であれば、初期化のためにコントローラ部２との間の通信等が不要になって即座に使用が可能となり、ユーザの利便性を大幅に向上させることができる。また、高速に復帰が可能となることで、短時間の未使用であっても即座に省エネモードに移行させることができ、省エネ効果を高めることができる。更に、省エネモードに入っている時間が長く、半揮発性メモリ３３、４３の復帰用データが使用できない場合であっても通常の初期化処理によりリカバリできるようにしているため、従来の機器よりも性能が落ちることはない。
【００５４】
なお、請求項に記載の文言と上記実施形態との対応関係を示せば次のようになる。すなわち、電源供給が停止した状態でも所定の時間だけ情報を保持可能なデータ保持手段は操作部３、作像エンジン部４内の半揮発性メモリ３３、４３に対応する。復帰時に必要となる復帰用データを収集するデータ収集手段、省エネモードに移行する際に上記データ収集手段により収集された復帰用データを上記データ保持手段に対して書き込むデータ書き込み手段、省エネモードから復帰する際に上記データ保持手段から復帰用データを読み出すデータ読み出し手段、上記データ読み出し手段により読み出された復帰用データを用いて復帰処理を行う復帰手段、上記データ読み出し手段により読み出された復帰用データが正しいか否かを判断する判断手段は、全体的な制御を行うコントローラ部２内のＣＰＵ２１およびその制御下で処理を行う操作部３、作像エンジン部４内のＣＰＵ３１、４１に対応する。
【００５５】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５６】
【図１】従来の画像形成装置の構成図である。
【図２】従来の画像形成装置の省エネモードにおける電力供給状態を示す図である。
【図３】従来の画像形成装置における省エネモード移行時のコントローラ部の処理を示すフローチャートである。
【図４】従来の画像形成装置における省エネモードからの復帰時のコントローラ部の処理を示すフローチャートである。
【図５】本発明の一実施形態にかかる画像形成装置の構成図である。
【図６】省エネモードにおける電力供給状態を示す図である。
【図７】半揮発性メモリの構成例を示す図である。
【図８】省エネモード移行時のコントローラ部の処理を示すフローチャートである。
【図９】操作部の表示画面データと復帰用データの格納の例を示す図である。
【図１０】操作部のコピーアプリ用の第１階層の表示画面の例を示す図である。
【図１１】操作部のコピーアプリ用の第２階層の表示画面の例を示す図である。
【図１２】省エネモードからの復帰時のコントローラ部の処理を示すフローチャートである。
【符号の説明】
【００５７】
１            画像形成装置
２            コントローラ部
２１          ＣＰＵ
２２          揮発性メモリ
２３          不揮発性メモリ
３            操作部
３１          ＣＰＵ
３２          揮発性メモリ
３３          半揮発性メモリ
４            作像エンジン部
４１          ＣＰＵ
４２          揮発性メモリ
４３          半揮発性メモリ
５            電源部
Ｍ１、Ｍ２    揮発性メモリ
Ｃ１、Ｃ２    コンデンサ
Ｌ１、Ｌ２    電源ライン
【図１】
2005340879.tif 000003
【図２】
2005340879.tif 000004
【図３】
2005340879.tif 000005
【図４】
2005340879.tif 000006
【図５】
2005340879.tif 000007
【図６】
2005340879.tif 000008
【図７】
2005340879.tif 000009
【図８】
2005340879.tif 000010
【図９】
2005340879.tif 000011
【図１０】
2005340879.tif 000012
【図１１】
2005340879.tif 000013
【図１２】
2005340879.tif 000014